(57)【要約】【課題】  組付け時に観察窓に流体が安定して噴出する方向へ容易に内視鏡用洗浄ノズルを位置決めできるようにする。【解決手段】  洗浄ノズル５０に配設され、内視鏡２の挿入部１１に配設された流体路４２，４３から流体が流入する流路を備えた管状部５１と、観察窓３４へ流体を噴出する噴出口５５を備えたノズルヘッド５２と、管状部５１が挿嵌して固定される収容孔部３８と、洗浄ノズル５０と収容孔部３８の少なくとも一方に配設され、ノズルヘッド５２の噴出口５２が観察窓３４に向けた所定の方向を臨むように、管状部５１の長手軸回りの位置を規定する位置決め手段５４，３９と、を具備している。【選択図】図８
2012090885.tif 000002
【特許請求の範囲】
【請求項１】
挿入部の先端部に配設された観察窓の表面に向けて流体を噴出する洗浄ノズルを備えた内視鏡であって、
前記洗浄ノズルに配設され、前記挿入部に配設された流体路から前記流体が流入する流路を備えた管状部と、
前記管状部に連設され、前記観察窓へ前記流体を噴出する噴出口を備えたノズルヘッドと、
前記先端部に配設され、前記管状部が挿嵌して固定される収容孔部と、
前記洗浄ノズルと前記収容孔部の少なくとも一方に配設され、前記ノズルヘッドの前記噴出口が前記観察窓に向けた所定の方向を臨むように、前記管状部の長手軸回りの位置を規定する位置決め手段と、
を具備することを特徴とする内視鏡。
【請求項２】
前記管状部が前記収容孔部に挿嵌された状態において、前記洗浄ノズルが備える異なる面内の少なくとも２つの面と前記収容孔部を形成する前記先端部の異なる面内の少なくとも２つの面がそれぞれ対向して面接触するようにして前記位置決め手段を構成したことを特徴とする請求項１に記載の内視鏡。
【請求項３】
前記管状部と前記ノズルヘッドが接合する境界部に形成され、前記管状部の外周一部から突起した突起部および前記収容部に形成された前記突起部が嵌合する嵌合溝により前記位置決め手段を構成したことを特徴とする請求項１または請求項２に記載の内視鏡。
【請求項４】
前記管状部が中心を通る線分に非対称な長手軸に直交する断面形状を有し、前記収容孔部の孔軸に直交する孔断面を前記管状部の断面形状に略一致させて前記位置決め手段を構成したことを特徴とする請求項１または請求項２に記載の内視鏡。
【請求項５】
前記位置決め手段を前記噴射口の直下部分に配置したことを特徴とする請求項１から請求項４のいずれかに記載の内視鏡。
【請求項６】
さらに、前記噴出口が前記所定の方向を臨むように指標部を前記ノズルヘッドに配設したことを特徴とする請求項１から請求項５のいずれかに記載の内視鏡。
【請求項７】
前記ノズルヘッドの上面中央に線状または凸状の前記指標部を配設したことを特徴とする請求項６に記載の内視鏡。
【請求項８】
内視鏡の先端部に配設された観察窓表面に向けて流体を噴出して洗浄する内視鏡用洗浄ノズルであって、
前記先端部に挿嵌して固定され、前記内視鏡の挿入部に配設された流体路から前記流体が流入する流路を備えた管状部と、
前記管状部に連設され、前記観察窓へ前記流体を噴出する噴出口を備えたノズルヘッドと、
前記ノズルヘッドに配設され、前記噴出口が前記観察窓に向けた所定の方向を臨むように、前記管状部の長手軸回りの位置を規定する指標部と、
を具備することを特徴とする内視鏡用洗浄ノズル。
【請求項９】
前記ノズルヘッドの上面中央に線状または凸状の前記指標部を配設したことを特徴とする請求項８に記載の内視鏡用洗浄ノズル。
【発明の詳細な説明】
【技術分野】
【０００１】
本発明は、観察窓の表面に流体を供給して洗浄する内視鏡用洗浄ノズルを備えた内視鏡に関する。
【背景技術】
【０００２】
周知のように、医療分野において広く利用されている内視鏡は、被検体内に挿入される細長な挿入部を有する。このような内視鏡は、挿入部の先端部に観察窓が配設されている。
【０００３】
そして、先端部の観察窓近傍には、この観察窓の表面に付着して観察性を阻害する汚れなどを除去するために流体を噴射して洗浄するための洗浄ノズルが配設されているものがある。
【０００４】
このような洗浄ノズルについて、例えば、特許文献１に開示されている。この特許文献１には、観察窓の視野内に入ることを防止するため、水圧により上下に可動して、観察窓に向けて水を斜め上方から叩き付けるようにしたノズルを備えた内視鏡が開示されている。
【先行技術文献】
【特許文献】
【０００５】
【特許文献１】特開平８−１９５１２号公報
【発明の概要】
【発明が解決しようとする課題】
【０００６】
しかしながら、特許文献１に記載の従来の内視鏡は、ノズル（洗浄ノズル）が可動するため、このノズルの上下への進退方向の軸回りが規定されておらず、観察窓に向けて水を吹き付ける方向を安定して観察窓に吹付けて洗浄することができない場合がある。
【０００７】
また、その他、従来の洗浄ノズルには、挿入部の先端部に挿嵌して固定されるものがある。例えば、図１６および図１７に示すように、従来の洗浄ノズル１００は、内視鏡の先端部外表面に露出し、観察窓に向けて流体を噴出する開口１０２を備えたノズルヘッド１０１と、このノズルヘッド１０１から延設し、先端部に挿嵌される管路１０３とを有している。
【０００８】
この従来の洗浄ノズル１００では、円柱状の管路１０３を先端部に挿嵌して接着またはビス止めにより固定する構成である。このような構成の洗浄ノズル１００は、内視鏡の先端部に管路１０３を挿嵌する組付け時に、この管路１０３の軸回りにノズルヘッド１０１が自由に回転するため、ノズルヘッド１０１の開口１０２を観察窓の中心へ向けて位置決めが困難であるという問題がある。
【０００９】
また、従来の洗浄ノズル１００は、先端部への接着またはビス止め時に、ノズルヘッド１０１が管路１０３の軸回りにずれてしまい、観察窓へ安定して洗浄水を吹付ける方向に組付けることが困難であるという課題があった。
【００１０】
そこで、本発明は上記事情に鑑みてなされたもので、組付け時に観察窓に流体が安定して噴出する方向へ容易に洗浄ノズルを位置決めできる内視鏡および内視鏡用洗浄ノズルを提供することを目的とする。
【課題を解決するための手段】
【００１１】
本発明の内視鏡は、挿入部の先端部に配設された観察窓の表面に向けて流体を噴出する洗浄ノズルを備えた内視鏡であって、前記洗浄ノズルに配設され、前記挿入部に配設された流体路から前記流体が流入する流路を備えた管状部と、前記管状部に連設され、前記観察窓へ前記流体を噴出する噴出口を備えたノズルヘッドと、前記先端部に配設され、前記管状部が挿嵌して固定される収容孔部と、前記洗浄ノズルと前記収容孔部の少なくとも一方に配設され、前記ノズルヘッドの前記噴出口が前記観察窓に向けた所定の方向を臨むように、前記管状部の長手軸回りの位置を規定する位置決め手段と、を具備することを特徴としている。
【００１２】
また、本発明の内視鏡用洗浄ノズルは、内視鏡の先端部に配設された観察窓表面に向けて流体を噴出して洗浄する内視鏡用洗浄ノズルであって、前記先端部に挿嵌して固定され、前記内視鏡の挿入部に配設された流体路から前記流体が流入する流路を備えた管状部と、前記管状部に連設され、前記観察窓へ前記流体を噴出する噴出口を備えたノズルヘッドと、前記ノズルヘッドに配設され、前記噴出口が前記観察窓に向けた所定の方向を臨むように、前記管状部の長手軸回りの位置を規定する指標部と、を具備することを特徴としている。
【発明の効果】
【００１３】
本発明の内視鏡および内視鏡用洗浄ノズルは、組付け時に観察窓に流体が安定して噴出する方向へ容易に洗浄ノズルを位置決めできるという効果がある。
【図面の簡単な説明】
【００１４】
【図１】本発明の第１の実施形態に係り、内視鏡システムの全体構成を示す斜視図
【図２】同、挿入部の先端部の構成を示す平面図
【図３】同、図２のＩＩＩ−ＩＩＩ断面図
【図４】同、内視鏡用洗浄ノズルの構成を示す正面図
【図５】同、内視鏡用洗浄ノズルのノズルヘッドの構成を示す斜視図
【図６】同、内視鏡用洗浄ノズルの構成を示す下面図
【図７】同、先端部の先端面に形成される嵌合孔部および嵌合溝の構成を示す平面図
【図８】同、内視鏡用洗浄ノズルを先端部へ組み付ける状態を説明するための斜視図
【図９】本発明の第２の実施形態に係り、内視鏡用洗浄ノズルの構成を示す側面図
【図１０】同、内視鏡用洗浄ノズルの構成を示す正面図
【図１１】同、図１０のＸＩ矢視図
【図１２】同、図１０のＸＩＩ−ＸＩＩ断面図
【図１３】同、先端部に形成される嵌合孔部の構成を示す平面図
【図１４】本発明の第２の実施形態に係り、観察窓とノズルヘッドを示す平面図
【図１５】同、変形例を示し、（ａ）は内視鏡用洗浄ノズルの構成を示す正面図を示し、（ｂ）は円部分の拡大図
【図１６】同、従来の内視鏡用洗浄ノズルの構成を示す正面図
【図１７】同、図１６のＸＶＩＩ−ＸＶＩＩ断面図
【発明を実施するための形態】
【００１５】
以下、本発明である内視鏡用洗浄ノズルについて説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１６】
（第１の実施の形態）
先ず、図面を参照して本発明の第１の実施の形態を説明する。図１から図８は本発明の第１の実施の形態に係わり、図１は内視鏡システムの全体構成を示す斜視図、図２は挿入部の先端部の構成を示す平面図、図３は図２のＩＩＩ−ＩＩＩ断面図、図４は内視鏡用洗浄ノズルの構成を示す正面図、図５は内視鏡用洗浄ノズルのノズルヘッドの構成を示す斜視図、図６は内視鏡用洗浄ノズルの構成を示す下面図、図７は先端部の先端面に形成される嵌合孔部および嵌合溝の構成を示す平面図、図８は内視鏡用洗浄ノズルを先端部へ組み付ける状態を説明するための斜視図である。
【００１７】
図１に示す内視鏡システム１は、内視鏡２と、光源装置５と、ＣＣＵ（カメラコントロールユニット）であるビデオプロセッサ６と、モニタ７と、を有して主要部が構成さえている。  
同図に示すように、内視鏡２は、観察対象部位へ挿入する細長の中空状長尺部材としての挿入部１１と、この挿入部１１の基端部に連設された操作部１２と、この操作部１２の側面より延設されたユニバーサルケーブル１３と、このユニバーサルケーブル１３の延出端部に設けられた光源コネクタ１４と、この光源コネクタ１４の側部から延出する電気ケーブル１５と、この電気ケーブル１５の延出端に配設された電気コネクタ１６と、を有して構成されている。なお、光源コネクタ１４は、光源装置５に着脱自在に接続される。そして、電気コネクタ１６は、ビデオプロセッサ６に着脱自在に接続される。
【００１８】
挿入部１１は、先端側に先端部２１を有し、この先端部２１の後部に湾曲自在な可動部としての湾曲部２２が連続されている。さらに、この湾曲部２２の後部に軟性の管状の部材より形成される長尺で可撓性を有する可撓管部２３が連設されている。
【００１９】
操作部１２は、操作把持部を構成する操作部本体２０と、挿入部１１の可撓管部２３の基端側に接続される折れ止め部２４と、この折れ止め部２４の近傍に配設された挿入部１１内の挿通チャンネルの開口部となる処置具挿通口２５と、を有して構成されている。
【００２０】
操作部本体２０には、挿入部１１の湾曲部２２を湾曲操作するための湾曲操作ノブ２６が回動自在に配設されるとともに、各種内視鏡機能のスイッチ類２８、２９などが設けられている。なお、湾曲操作ノブ２６は、湾曲部２２を上下方向に湾曲操作するためのＵＤ湾曲操作ノブ２６ａと、湾曲部２２を左右方向に湾曲操作するためのＲＬ湾曲操作ノブ２６ｂとを有し、これらが重畳配設されている。また、各湾曲操作ノブ２６ａ、２６ｂの回動を停止／解除するときに操作する解除ノブ２７がＲＬ湾曲操作ノブ２６ｂの中心部に設けられている。
【００２１】
光源装置５は、内視鏡２内に設けられた図示しない上述のライトガイドに、照明光を供給するものである。すなわち、本実施形態の内視鏡２のユニバーサルケーブル１３、操作部１２、および、挿入部１１内には、ライトガイドが配設されており、このライトガイドを介して、光源装置５は先端部２１の照明窓を構成する、後述の照明光学系まで照明光を供給する。この照明光は、照明光学系によって発散されて被検部位を照射する。
【００２２】
ビデオプロセッサ６は、内視鏡２が撮像した画像データを映像信号化して、モニタ７に表示させる。さらに、ビデオプロセッサ６は、内視鏡２の操作部１２に配設されたスイッチ類２９の操作信号が入力され、これら信号に基づいて、光源装置５を制御したり、図示しないコンプレッサを駆動したり、または図示しない送水タンクにエアーを送ったりして、エアー、または送水タンク内の洗浄水である水、生理食塩水などを挿入部１１の送気送水チャンネルを介して先端部２１まで送気送水制御する装置も構成している。なお、スイッチ類２８は、送気送水の際に、ユーザにより操作される機械的スイッチである。
【００２３】
先端部２１の先端面には、図２に示すように、複数、ここでは３つの照明光学系である照明窓３１と、処置具などが導出されるチャンネル開口３２と、前方送水チャンネル開口３３と、対物光学系である観察窓３４と、この観察窓３４の表面に向けて液体または気体（さらには、気液混合流体）を噴出する内視鏡用洗浄ノズル５０と、が配設されている。
【００２４】
また、先端部２１内には、図３に示すように、観察窓３４の後方に複数の対物光学系である対物レンズ３５が並設され、これら観察窓３４および対物レンズ３５を保持するレンズ保持枠３６が内蔵されている。このレンズ保持枠３６の後方には、ＣＣＤ、ＣＭＯＳなどのイメージセンサを有する撮像ユニット３７が配設されている。
【００２５】
先端部２１は、金属ブロックの先端硬質部４０を備えており、この先端硬質部４０の先端面側に樹脂製の先端カバー３０が被せられている。先端硬質部４０には、レンズ保持枠３６と、内視鏡用洗浄ノズル５０と、この内視鏡洗浄ノズルの後方に金属パイプである流体管４２と、が挿嵌されている。なお、流体管４２の基端部には、光源装置流体供給用の送気送水チャンネルを構成する流体路であるチューブ４３が接続されている。また、先端硬質部４０の基端には、挿入部１１の外皮４４に被覆される管状部材４５が外嵌されている。
【００２６】
ここで、本実施の形態の内視鏡用洗浄ノズル５０について、図４から図６に基づいて、以下に詳しく説明する。  
内視鏡用洗浄ノズル５０は、ステンレスなどの金属から形成され、メタルインジェクション（ＭＩＭ）製法、ダイカスト製法、機械加工などにより成型されたもので、図４から図６に示すように、先端部２１内に挿嵌されて固着またはピン留めされる管状部５１と、この管状部５１に連設されて、先端部２１の先端面に露出されて配置される外形ブロック形状のノズルヘッド５２と、を有して構成されている。ノズルヘッド５２の一側部には、先端部２１の観察窓３４の表面に向けて流体を噴出する流体噴出口のノズル開口部５５が形成されている。
【００２７】
管状部５１とノズルヘッド５２とが接合する境界部には、管状部５１の周方向に略円板状に突起した段差部５３が形成され、この段差部５３の外周一部からノズル開口部５５の開口面に向けて突起してノズル側の位置決め手段を構成する凸状の突起部５４が形成されている。なお、突起部５４は、管状部５１の周回りにおいて、ノズルヘッド５２のノズル開口部５５が形成された直下部分に位置するノズルヘッド５２の下面部分に形成されている。
【００２８】
この突起部５４は、図６に示すように、ノズル開口部５５の開口面に平行な第１の面５４ａと、第１の面５４ａとは異なる管状部５１の長手軸回りにある第２の面５４ｂと、第１の面５４ａおよび第２の面５４ｂとは異なる管状部５１の長手軸回りにある第３の面５４ｃと、を有している。なお、ここでの突起部５４は、第１の面５４ａに対して直交する第２の面５４ｂおよび第３の面５４ｃを有しており、第２の面５４ｂおよび第３の面５４ｃが平行な面を有した形状となっている。
【００２９】
先端硬質部４０に固着される先端カバー３０には、図７および図８に示すように、管状部が挿嵌して固定される収容孔部を構成する嵌合孔部３８が形成されている。この嵌合孔部３８は、円形状の孔部外周一部から観察窓３４に向けて先端部側の位置決め手段を構成する凹状の嵌合溝３９を有している。
【００３０】
この嵌合溝３９の断面形状は、先端カバー３０の壁面として、観察窓３４の中心Ｏ１と嵌合孔部３８の中心Ｏ２とを結ぶ線ａに直交する第１の面３９ａと、この第１の面３９ａとは異なる中心Ｏ２回りにある第２の面３９ｂと、第１の面３９ａおよび第２の面３９ｂとは異なる中心Ｏ２回りにある第３の面３９ｃと、を有している。なお、ここでの嵌合溝３９は、第１の面３９ａに対して直交する第２の面３９ｂおよび第３の面３９ｃを有しており、第２の面３９ｂおよび第３の面３９ｃが平行な面を有した形状として先端カバー３０の壁面から形成される。
【００３１】
そして、嵌合孔部３８は、その孔径寸法および深さ方向の寸法が内視鏡用洗浄ノズル５０の段差部５３の直径寸法および厚み寸法と略一致して、段差部５３と略同一の孔部形状となっている。また、嵌合溝３９は、外形および深さ方向の寸法が突起部５４の突起形状および厚み寸法と略一致して、突起部５４と略同一の溝部形状となっている。
【００３２】
以上のような構成として、内視鏡用洗浄ノズル５０の先端部２１への組付けの際、先端カバー３０に形成された嵌合孔部３８から管状部５１が先端硬質部４０内に挿嵌される。このとき、内視鏡用洗浄ノズル５０は、段差部５３の外周面が先端カバー３０の嵌合孔部３８を形成する内周面と面接触し、突起部５４の第１〜第３の面５４ａ〜５４ｃが対向する嵌合溝３９を形成している第１〜第３の面３９ａ〜３９ｃにそれぞれ面接触するように嵌合して所定の方向へ位置決めされる。
【００３３】
このように内視鏡用洗浄ノズル５０が所定の方向に位置決めされた状態は、ノズルヘッド５２に設けられたノズル開口部５５の開口面が観察窓３４の中心Ｏ１を臨む方向へ確実に位置決めされる状態となる。換言すると、内視鏡用洗浄ノズル５０は、突起部５４が嵌合溝３９に嵌合されることで、ノズル開口部５５の開口面が観察窓３４の中心Ｏ１と嵌合孔部３８の中心Ｏ２とを結ぶ線ａに直交して配置される。これにより、ノズル開口部５５からの流体の噴射方向が観察窓３４の中心Ｏ１に向けて上記線ａに沿った方向に規定される。なお、ノズル開口部５５から噴出される流体は、上記線ａに沿った噴出方向が規定される。
【００３４】
このような構成とした、本実施の形態の内視鏡２は、先端部２１へ内視鏡用洗浄ノズル５０を組付ける際に、流体噴出口であるノズル開口部５５を観察窓３４の中心Ｏ１へ向けた位置の調整を行なわなくとも容易に位置決めされ、組付け性が向上する構成となる。その結果、内視鏡２は、内視鏡用洗浄ノズル５０のノズル開口部５５からの流体が観察窓３４に向けて確実に安定して噴出される観察窓３４の洗浄性能を有した構成となる。
【００３５】
また、内視鏡用洗浄ノズル５０の突起部５４は、上述したように、ノズルヘッド５２のノズル開口部５５の近傍に設けられ、このノズル開口部５５直下部分のノズルヘッド５２下面部に形成されている。この構成とすることで、内視鏡用洗浄ノズル５０を先端部２１へ組み付けたときに、ノズル開口部５５の開口面が観察窓３４の中心Ｏ１側に臨む方向の公差範囲内に収まる安定した位置決めが行なえるという利点がある。
【００３６】
さらに、上述したように、嵌合孔部３８および嵌合溝３９を先端カバー３０に形成した構成を例示したが、勿論、段差部５３および突起部５４の厚みを大きくして、深さ方向へ金属製の先端硬質部４０まで嵌合孔部３８および嵌合溝３９を形成しても良い。
【００３７】
なお、本実施の形態では、内視鏡用洗浄ノズル５０側の段差部５３の外周面および突起部５４における第１〜第３の面５４ａ〜５４ｃの３つの面が先端カバー３０の嵌合孔部３８の内周面および嵌合溝３９における第１〜第３の面３９ａ〜３９ｃにそれぞれが面接触することで、先端部２１への内視鏡用洗浄ノズル５０の装着方向を位置決めする構成としているが、少なくとも異なるいずれか２つの面が面接触するようにしても、先端部２１への内視鏡用洗浄ノズル５０の装着方向を規定する位置決めが行なえる構成となる。また、図面における上記各面５４ａ〜５４ｃ，３９ａ〜３９ｃは、平面としているが、これに限定されることなく曲面など如何なる面でも良い。
【００３８】
（第２の実施の形態）
次に、図９から図１３に基づいて、本発明の内視鏡２に係る第２の実施の形態について、以下に説明する。なお、図９から図１３は、本発明の第２の実施の形態に係り、図９は内視鏡用洗浄ノズルの構成を示す側面図、図１０は内視鏡用洗浄ノズルの構成を示す正面図、図１１は図１０のＸＩ矢視図、図１２は図１０のＸＩＩ−ＸＩＩ断面図、図１３は先端部に形成される嵌合孔部の構成を示す平面図である。  
また、以下の説明において、上述した第１の実施の形態の内視鏡２の構成要素について同じ符号を用い、それら構成要素の詳細な説明を省略する。
【００３９】
なお、ここでは、内視鏡用洗浄ノズル５０は、ステンレスの金属粉体と樹脂バインダを混合した射出成型品を脱脂／焼結するメタルインジェクション（ＭＩＭ）製法で加工成型した構成を例に挙げて説明するが、勿論、ダイカスト製法、機械加工などで成型しても良い。
【００４０】
本実施の形態の内視鏡用洗浄ノズル５０の管状部５１は、図９および図１０に示すように、外周部分に先端硬質部４０へ固定するためのピン留め用の凹部５６と、金型における射出成型時の材料のゲートとなる注入口が平面部に配置される凹部５７が形成されている。
【００４１】
この管状部５１は、図１１および図１２に示すように、外形が真円状ではなく、中心を通る線分に対して非対称な異形状となっている。  
具体的には、管状部５１は、ノズルヘッド５２のノズル開口部５５の開口面に平行な第１の面５１ａと、この第１の面５１ａとは異なる長手軸回りにある第２の面５１ｂと、第１の面５１ａおよび第２の面５１ｂとは異なる長手軸回りにある第３の面５１ｃと、を有している。なお、ここでの管状部５１は、第１の面５１ａおよび第２の面５１ｂが平行な面となっており、第３の面５１ｃが第１の面５１ａおよび第２の面５１ｂに対して直交する面となっており、その他が曲面形成された長手方向に直交した断面形状を有している。
【００４２】
また、内視鏡用洗浄ノズル５０には、管状部５１からノズルヘッド５２に向けて、孔断面が略真円状から徐々に楕円状、さらに両端部分が円弧状で細長な扁平形状となるように段差なく連続的に滑らかに変形した流路６０が内部に形成されている。
【００４３】
上述した内視鏡用洗浄ノズル５０の管状部５１の長手軸に直交する断面形状に合わせて、先端カバー３０および先端硬質部４０には、図１３に示すように、管状部５１が挿嵌される嵌合孔部６１が形成されている。  
この嵌合孔部６１の孔軸に直交する断面形状は、先端カバー３０および先端硬質部４０の壁面として、観察窓３４の中心Ｏ１と管状部５１の中心Ｏ３とを結ぶ線ｂに直交する第１の面６１ａと、この第１の面６１ａとは異なる長手軸回りの面内にある第２の面６１ｂと、第１の面６１ａおよび第２の面６１ｂとは異なる長手軸回りにある第３の面６１ｃと、を有している。なお、ここでの嵌合孔部６１は、第１の面６１ａおよび第２の面６１ｂが平行な面となっており、第３の面６１ｃが第１の面６１ａおよび第２の面６１ｂに対して直交する面となっており、その他が曲面形成された管状部５１と略同一形状となる孔軸に直交する断面形状を有するように先端カバー３０および先端硬質部４０の壁面によって形成されている。
【００４４】
そして、嵌合孔部６１は、上述の断面形状が、内視鏡用洗浄ノズル５０が挿通配置される先端硬質部４０の深さ寸法の全長に亘って形成されている。つまり、先端カバー３０から先端硬質部４０に形成される嵌合孔部６１は、内視鏡用洗浄ノズル５０の管状部５１の外形状と略同一形状の孔部となっている。
【００４５】
以上のような構成として、内視鏡用洗浄ノズル５０の先端部２１への組付けの際、先端カバー３０に形成された嵌合孔部６１から管状部５１が先端硬質部４０内に挿嵌されてピン留めされる。このとき、内視鏡用洗浄ノズル５０は、管状部５１の外表面が対向する先端カバー３０および先端硬質部４０の嵌合孔部６１を形成する内面と面接触する。つまり、内視鏡用洗浄ノズル５０は、管状部５１の第１〜第３の面５１ａ〜５１ｃが対向する嵌合孔部６１を形成する第１〜第３の面６１ａ〜６１ｃにそれぞれ面接触するように嵌合して所定の方向に位置決めされる。
【００４６】
本実施の形態においても内視鏡用洗浄ノズル５０は、ノズルヘッド５２に設けられたノズル開口部５５の開口面が観察窓３４の中心Ｏ１を臨む方向へ位置決めされる。換言すると、内視鏡用洗浄ノズル５０は、管状部５１が嵌合孔部６１に嵌合されることで、ノズル開口部５５の開口面が観察窓３４の中心Ｏ１と管状部５１の流路６０の中心Ｏ３とを結ぶ線ｂに直交して配置される。これにより、ノズル開口部５５からの流体の噴射方向が観察窓３４の中心Ｏ１に向けて上記線ｂに沿った方向に規定される。
【００４７】
このような構成としても、本実施の形態の内視鏡２は、第１の実施の形態と同様に、先端部２１へ内視鏡用洗浄ノズル５０を組付ける際に、内視鏡用洗浄ノズル５０の管状部５１がノズル側の位置決め手段となり、この管状部５１の断面形状に一致する断面形状に設定された嵌合孔部６１が先端部２１側の位置決め手段として、噴出口であるノズル開口部５５を観察窓３４の中心Ｏ１へ向けた位置の調整を行なわなくとも容易に位置決めされて、組付け性が向上する構成となる。
【００４８】
なお、嵌合孔部６１の上述した断面形状は、先端硬質部４０においては、内視鏡用洗浄ノズル５０が挿通配置される深さ寸法の全長に形成されていることが好ましいが、第１の実施の形態に記載したとおり、内視鏡用洗浄ノズル５０を先端部２１へ組み付けたときに、ノズル開口部５５の開口面が観察窓３４の中心Ｏ１側に臨む方向の公差範囲内に収まる安定した位置決めが行なえれば良い。そのため、内視鏡用洗浄ノズル５０の管状部５１の断面形状に一致する嵌合孔部６１の断面形状を先端カバー３０のみ、または先端カバー３０と先端硬質部４０の端面付近のみに形成しても良い。
【００４９】
（第３の実施の形態）
次に、図１４および図１５を用いて、本発明の内視鏡２に係る第３の実施の形態について、以下に説明する。なお、図１４および図１５は、本発明の第３の実施の形態に係り、図１４は観察窓とノズルヘッドを示す平面図、図１５は変形例を示し、（ａ）は内視鏡用洗浄ノズルの構成を示す正面図を示し、（ｂ）は円部分の拡大図である。  
また、以下の説明においても、上述した第１の実施の形態の内視鏡２の構成要素について同じ符号を用い、それら構成要素の詳細な説明を省略する。
【００５０】
本実施の形態では、図１４に示すように、観察窓３４の中心Ｏ１側に内視鏡用洗浄ノズル５０のノズル開口部５５が臨むように、ノズルヘッド５２の上面中央に、ここでの位置決め手段となる線状の指標部５２ａが設けられている。この指標部５２ａは、ノズルヘッド５２の噴射口５５の開口面に対して直交した方向の線である。つまり、ノズル開口部５５からの流体の噴射方向が観察窓３４の中心Ｏ１に向けた方向となるよう、内視鏡用洗浄ノズル５０の先端部２１への組付け時に軸合わせが容易に行なえるようになる。
【００５１】
この線状の指標部５２ａは、ノズルヘッド５２の上面にペイント形成しても良いし、メタルインジェクション（ＭＩＭ）製法で内視鏡用洗浄ノズル５０を成型する場合、パーティングライン（型合わせ面で発生する線状の筋）として、ノズルヘッド５２の上面中央に位置するように金型の割りを設定することで形成しても良い。
【００５２】
さらに、図１５に示すように、ノズルヘッド５２の上面中央に沿ってストレートに凸設された指標部５２ｂとしても良い。このような凸状の指標部５２ｂは、内視鏡用洗浄ノズル５０をメタルインジェクション（ＭＩＭ）製法、ダイキャスト製法、機械加工などで形成することができる。
【００５３】
このような構成としても、本実施の形態の内視鏡２は、上記各実施の形態と同様に、先端部２１へ内視鏡用洗浄ノズル５０を組付ける際に、線状または凸状の指標部５２ａ，５２ｂの延長線上に観察窓３４の中心Ｏ１が位置するようにノズルヘッド５２を管状部５１の軸回りに調整を行うことで容易に所定の方向に位置決めが行なえ組付け性が向上する構成となる。
【００５４】
なお、ここでの管状部５１は、図示しないが、真円状の円管形状をしており、先端部２１への固定前においてノズルヘッド５２が管状部５１の軸回りに回動する構成となっている。また、上述した各実施の形態の内視鏡用洗浄ノズル５０のノズルヘッド５２に指標部５２ａ，５２ｂを形成しても良い。
【００５５】
以上の実施の形態に記載した発明は、その実施の形態、および変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。
【００５６】
例えば実施の形態に示される全構成要件から幾つかの構成要件が削除されても、述べられている課題が解決でき、述べられている効果が得られる場合には、この構成要件が削除された構成が発明として抽出され得るものである。
【符号の説明】
【００５７】
１…内視鏡システム
２…内視鏡
５…光源装置
６…ビデオプロセッサ
７…モニタ
１１…挿入部
２１…先端部
２２…湾曲部
２５…処置具挿通口
３０…先端カバー
３４…観察窓
３５…対物レンズ
３７…撮像ユニット
３８…嵌合孔部
３９…嵌合溝
３９ａ，５１ａ，５４ａ，６１ａ…第１の面
３９ｂ，５１ｂ，５４ｂ，６１ｂ…第２の面
３９ｃ，５１ｃ，５４ｃ，６１ｃ…第３の面
４０…先端硬質部
４２…流体管
４３…チューブ
５０…内視鏡用洗浄ノズル
５１…管状部
５２…ノズルヘッド
５２ａ…指標部
５２ａ，５２ｂ…指標部
５２ｂ…指標部
５３…段差部
５４…突起部
５５…ノズル開口部
６１…嵌合孔部
【図１】
2012090885.tif 000003
【図２】
2012090885.tif 000004
【図３】
2012090885.tif 000005
【図４】
2012090885.tif 000006
【図５】
2012090885.tif 000007
【図６】
2012090885.tif 000008
【図７】
2012090885.tif 000009
【図８】
2012090885.tif 000010
【図９】
2012090885.tif 000011
【図１０】
2012090885.tif 000012
【図１１】
2012090885.tif 000013
【図１２】
2012090885.tif 000014
【図１３】
2012090885.tif 000015
【図１４】
2012090885.tif 000016
【図１５】
2012090885.tif 000017
【図１６】
2012090885.tif 000018
【図１７】
2012090885.tif 000019